(57)【要約】【課題】  グレンタンクを高さ方向以外の方向で拡大して、穀粒の貯粒量を増大させるコンバインを提供することを課題としている。【解決手段】  排出オーガ装置９を構成する縦方向の縦ラセン筒１７を、脱穀後の排わらを切断処理する切断装置７の右側方に配置し、支柱１３を切断装置７の右側方に位置するように機体フレーム２から立設し、支柱１３から後方に向かってアーム１４を突設し、アーム１４の先端に設けた回動支点１６に切断装置７を開閉回動可能に取り付け、縦ラセン筒１７と支柱１３とが内部に位置するように、グレンタンク８の側方後端と切断装置７の後方右端との間を覆うカバー２７を設け、上記回動支点１６を、切断装置７の開閉が許容されるように、切断装置７の後端位置近傍に配置した。【選択図】図２
2007061016.tif 000002
【特許請求の範囲】
【請求項１】
穀稈の脱穀を行う脱穀装置（６）と、脱穀後の排わらを切断処理する切断装置（７）と、脱穀後の穀粒を一時的に貯粒するグレンタンク（８）と、グレンタンク（８）内の穀粒を機外に排出する排出オーガ装置（９）とを設け、排出オーガ装置（９）を、穀粒を上方に搬送する縦ラセン筒（１７）と、縦ラセン筒（１７）の上端側に設けられ、縦ラセン筒（１７）から穀粒を受け継ぎ横方向に搬送する横ラセン筒（１８）とから構成し、脱穀装置（６）の後方に切断装置（７）を横設配置し、脱穀装置（６）の右側方にグレンタンク（８）を配置し、グレンタンク（８）の後方に縦ラセン筒（１７）を配置し、切断装置（７）を支持する支柱（１３）を、切断装置（７）の右側方に配置して機体フレーム（２）から立設し、該支柱（１３）に対して切断装置（７）を開閉回動自在に取り付けたコンバインにおいて、縦ラセン筒（１７）を切断装置（７）の右側方に配置し、支柱（１３）から後方に向かってアーム（１４）を突設し、アーム（１４）の先端と切断装置（７）との間に切断装置の回動支点（１６）を設け、グレンタンク（８）の側方後端と切断装置（７）の後方右端との間を覆うカバー（２７）を設け、縦ラセン筒（１７）と支柱（１３）とをカバー（２７）内に位置させ、上記回動支点（１６）を、切断装置（７）の開閉が許容されるように、切断装置（７）の後端位置近傍に配置したコンバイン。
【請求項２】
穀稈の脱穀を行う脱穀装置（６）と、脱穀後の排わらを切断処理する切断装置（７）と、脱穀後の穀粒を一時的に貯粒するグレンタンク（８）と、グレンタンク（８）内の穀粒を機外に排出する排出オーガ装置（９）とを設け、排出オーガ装置（９）を、穀粒を上方に搬送する縦ラセン筒（１７）と、縦ラセン筒（１７）の上端側に設けられ、縦ラセン筒（１７）から穀粒を受け継ぎ横方向に搬送する横ラセン筒（１８）とから構成し、脱穀装置（６）の後方に切断装置（７）を横設配置し、脱穀装置（６）の右側方にグレンタンク（８）を配置し、グレンタンク（８）の後方に縦ラセン筒（１７）を配置し、切断装置（７）を支持する支柱（１３）を、切断装置（７）の右側方に配置して機体フレーム（２）から立設し、該支柱（１３）に対して切断装置（７）を開閉回動自在に取り付け、切断装置（７）の右側面に、切断済みの排わらを排出口を拡大するように右側に突出する排出カバー（１２）を設けたコンバインにおいて、排出カバー（１２）を開閉可能に取り付け、
縦ラセン筒（１７）を、縦ラセン筒（１７）と切断装置（７）との間に排出カバー（１２）の開閉を許容する空間を形成するように、切断装置（１７）の右側方に配置し、支柱（１３）を排出カバー（１２）の前方位置に配置し、支柱（１３）から後方に向かってアーム（１４）を突設し、アーム（１４）を排出カバー（１２）より上方に位置させ、アーム（１４）の先端と切断装置（７）との間に切断装置（７）の回動支点（１６）を配置したコンバイン。
【発明の詳細な説明】
【技術分野】
【０００１】
本発明は、グレンタンクから穀粒を機外に排出する排出オーガ装置を備えたコンバインに関する。
【背景技術】
【０００２】
従来穀稈の脱穀を行う脱穀装置と、脱穀後の排わらを切断処理する切断装置と、脱穀後の穀粒を一時的に貯粒するグレンタンクと、グレンタンク内の穀粒を機外に排出する排出オーガ装置とを設け、排出オーガ装置を、穀粒を上方に搬送する縦ラセン筒と、縦ラセン筒の上端側に設けられ、縦ラセン筒から穀粒を受け継ぎ横方向に搬送する横ラセン筒とから構成し、脱穀装置の後方に切断装置を横設配置し、脱穀装置の右側方にグレンタンクを配置し、グレンタンクの後方に縦ラセン筒を配置し、切断装置を支持する支柱を、切断装置の右側方に配置して機体フレームから立設し、該支柱に対して切断装置を開閉回動自在に取り付けたコンバインが公知となっている（例えば特許文献１参照）。また切断装置の右側面に、切断済みの排わらを排出口を拡大するように右側に突出する排出カバーを設けたコンバインも公知となっている（例えば特許文献２参照）。
【特許文献１】実登第２５７９４７９号公報
【特許文献２】特開平１１−３８号公報
【発明の開示】
【発明が解決しようとする課題】
【０００３】
近年グレンタンク内により多くの穀粒を貯粒することができるようにグレンタンクの容量を増加させる傾向がある。しかし上記コンバインは、切断装置を機体内側の回動支点を中心に後方に向かって回動させる構造となっており、グレンタンクの後方に切断装置の回動用のスペースが必要となる。
【０００４】
上記特許文献１に記載のコンバインの場合、切断装置の回動支点が、切断装置の前後の略中央に位置しているため、切断装置の回動用に比較的大きなスペースが必要となる。このため排出オーガ装置の縦ラセン筒を後方に移動させることが困難である。また特許文献２に示されるように排出カバーを備える場合は、支柱を後方に移動させることができないため、切断装置の回動支点を後方に移動させることも困難となる。従ってグレンタンクを後方に拡大することが困難となり、グレンタンクは高さ方向に拡大され、このため後方視界が悪化するという問題点があった。
【課題を解決するための手段】
【０００５】
上記課題を解決するための本発明のコンバインは、穀稈の脱穀を行う脱穀装置６と、脱穀後の排わらを切断処理する切断装置７と、脱穀後の穀粒を一時的に貯粒するグレンタンク８と、グレンタンク８内の穀粒を機外に排出する排出オーガ装置９とを設け、排出オーガ装置９を、穀粒を上方に搬送する縦ラセン筒１７と、縦ラセン筒１７の上端側に設けられ、縦ラセン筒１７から穀粒を受け継ぎ横方向に搬送する横ラセン筒１８とから構成し、脱穀装置６の後方に切断装置７を横設配置し、脱穀装置６の右側方にグレンタンク８を配置し、グレンタンク８の後方に縦ラセン筒１７を配置し、切断装置７を支持する支柱１３を、切断装置７の右側方に配置して機体フレーム２から立設し、該支柱１３に対して切断装置７を開閉回動自在に取り付けたコンバインにおいて、縦ラセン筒１７を切断装置７の右側方に配置し、支柱１３から後方に向かってアーム１４を突設し、アーム１４の先端と切断装置７との間に切断装置の回動支点１６を設け、グレンタンク８の側方後端と切断装置７の後方右端との間を覆うカバー２７を設け、縦ラセン筒１７と支柱１３とをカバー２７内に位置させ、上記回動支点１６を、切断装置７の開閉が許容されるように、切断装置７の後端位置近傍に配置したことを第１の特徴としている。
【０００６】
また穀稈の脱穀を行う脱穀装置６と、脱穀後の排わらを切断処理する切断装置７と、脱穀後の穀粒を一時的に貯粒するグレンタンク８と、グレンタンク８内の穀粒を機外に排出する排出オーガ装置９とを設け、排出オーガ装置９を、穀粒を上方に搬送する縦ラセン筒１７と、縦ラセン筒１７の上端側に設けられ、縦ラセン筒１７から穀粒を受け継ぎ横方向に搬送する横ラセン筒１８とから構成し、脱穀装置６の後方に切断装置７を横設配置し、脱穀装置６の右側方にグレンタンク８を配置し、グレンタンク８の後方に縦ラセン筒１７を配置し、切断装置７を支持する支柱１３を、切断装置７の右側方に配置して機体フレーム２から立設し、該支柱１３に対して切断装置７を開閉回動自在に取り付け、切断装置７の右側面に、切断済みの排わらを排出口を拡大するように右側に突出する排出カバー１２を設けたコンバインにおいて、排出カバー１２を開閉可能に取り付け、
縦ラセン筒１７を、縦ラセン筒１７と切断装置７との間に排出カバー１２の開閉を許容する空間を形成するように、切断装置１７の右側方に配置し、支柱１３を排出カバー１２の前方位置に配置し、支柱１３から後方に向かってアーム１４を突設し、アーム１４を排出カバー１２より上方に位置させ、アーム１４の先端と切断装置７との間に切断装置７の回動支点１６を配置したことを第２の特徴としている。
【発明の効果】
【０００７】
以上のように構成される本発明の構造によると、切断装置の後端位置近傍に位置する支点を中心に切断装置が開閉回動するため、切断装置の開閉に、グレンタンクの後方、且つ切断装置の側方のスペースは、ほとんど使用されない。
このため上記スペースに縦ラセン筒を配置することができ、グレンタンクを縦ラセン筒側に拡大することができる。
このとき縦ラセン筒が、上記スペースに配置されることにより、縦ラセン筒及び縦ラセン筒側に設けられた周辺部品は、コンバインの後方側に位置する。これに対してカバーが縦ラセン筒や上記周辺部品等を覆うため、縦ラセン筒及び周辺部品の破損等が防止されるとともに、グレンタンクの側方後端と切断装置の後方右端との間をほとんど段差なくカバーによって覆うことができ、コンバインの外観上の美観が向上する。
これらにより、縦ラセン筒や縦ラセン筒周辺の部品等の破損防止と美観を向上させ、且つグレンタンクの高さを高くすることなくグレンタンクの容量を増加させることができ、グレンタンクの高さを高くすることによる後方視界の悪化を防止することができるという効果がある。
【０００８】
一方切断装置の右側面に切断済みの排わらを排出する排出口を拡大する開閉可能な切断排出カバーを設け、縦ラセン筒の配置位置を、縦ラセン筒と切断装置との間に、切断排出カバーの開閉を許容する空間が形成される位置とし、支柱を切断装置の右側方における排出カバーの前方位置に配置し、支柱から排出カバーより上方位置において後方に向かってアームを突設させ、アームの先端と切断装置との間に切断装置の回動支点を配置することによって、切断排出カバーの開閉を容易に行い、排出口の拡大を許容することができ、且つ上記同様にグレンタンクの高さを高くすることなくグレンタンクの容量を増加させることができ、グレンタンクの高さを高くすることによる後方視界の悪化を防止することができるという効果がある。アームは排出カバーより上方に位置するため、排出カバーの開閉を許容しながら切断装置の回動支点を後方に移動させることができる。排出口を拡大することによって圃場内に略均一に、ムラなく切断した排わらを排出することができる。
【発明を実施するための最良の形態】
【０００９】
図１〜図３は、本発明のコンバインの側面図、平面図、背面図である。左右のクローラ式の走行装置１に機体フレーム２が支持されている。機体フレーム２上には、右側前方に運転席３が設けられている。運転席３の前方には、機体フレーム２側に上下昇降自在に支持されて前処理部４が設けられている。前処理部４は、圃場の穀稈を刈り取り後方に搬送する。
【００１０】
運転席３の左側方には、前処理部４により刈り取られた穀稈の扱深さを調節して後方に搬送する扱深さ搬送体が設けられている。扱深さ搬送体の後方には、扱深さ搬送体によって搬送される穀稈の脱穀を行う脱穀装置６が機体フレーム２上に搭載されて設けられている。
【００１１】
脱穀装置６の後方には、脱穀後の排わらを切断処理するカッタ７が搭載されている。脱穀装置６及びカッタ７の側方には、運転席３の後方に位置して脱穀された穀粒を一時的に貯粒するグレンタンク８が設けられている。グレンタンク８の後方には、グレンタンク８から穀粒を排出する排出オーガ装置９が設けられている。
【００１２】
本コンバインの機体１１は以上のように構成されている。本コンバインは従来同様、圃場走行により前処理部４によって穀稈を刈り取り、刈り取った穀稈を扱深さ搬送体によって扱深さを調節しながら脱穀装置６に搬送し、脱穀装置６において脱穀を行い、脱穀された穀粒をグレンタンク８に収容するとともに、脱穀後の排わらをカッタ７によって切断して圃場に排出する。グレンタンク８内の穀粒は必要に応じて排出オーガ装置９によって機外に排出する。
【００１３】
本コンバインは４条刈り用のコンバインとなっている。カッタ７の幅は前処理部４による刈幅より小さい。このためカッタ７により排わらの切断を行い、切断された排わらをカッタ７の真下に落下させて機外に排出すると、圃場に刈幅とカッタ７の幅との差分排わらが排出されない（落下しない）ラインができてしまう。
【００１４】
これを避けるために、本カッタ７内には、図示しない拡散ラセンが設けられている。さらにカッタ７の排出口を幅方向に拡大する開閉可能な排出カバー１２が右側方に設けられている。排出カバー１２を外側（右側方側）に開くことによって、カッタ７の幅以上の範囲に排わらを排出することが可能となり、排わらが落下しない上記ラインをほとんどなくすることができる。排出カバー１２は開閉式であるため、閉じることもできる。
【００１５】
カッタ７の側方には、排出カバー１２より前方位置に、カッタ７を支持するための縦方向のカッタ支柱１３が設けられている。カッタ支柱１３は、機体フレーム２から立設されている。カッタ支柱１３から後方に向かってアーム１４が突設されている。アーム１４はカッタ支柱１３に固定されている。アーム１４は上下にそれぞれ設けられている。両カッタアーム１４は、ともに排出カバー１２より上方に位置している。カッタアーム１４が排出カバー１２の開閉を妨げることはない。
【００１６】
アーム１４の先端にはカッタ支点軸１６が上方に向かって突説されている。カッタ７は、右側方の後端部分においてカッタ支点軸１６に回動自在に装着されている。カッタ７は、カッタ７の右側方の後端位置に配置される上記カッタ支点軸１６を回動支点として開閉回動が可能となっている。
【００１７】
上記排出オーガ装置９は、内部に縦ラセンが収納された上下方向の縦ラセン筒１７と、内部に横ラセンが収納された前後方向の横ラセン筒１８とを備えてなる。縦ラセン筒１７は、縦ラセンが、グレンタンク８内に設けられた穀粒の排出送り用のラセンから穀粒を受け継ぐことができるように、グレンタンク８の後方、且つカッタ７の略真横に配置されている。
【００１８】
縦ラセン筒１７の下端部分は、グレンタンク７側の上記ラセンから縦ラセンに穀粒を受け継がせる側面視で略Ｌ字状をなす連結筒１９に回動可能に装着されている。縦ラセン筒１７と連結筒１９との間には、オーガモータ２１による縦ラセン筒１７の回動駆動機構が設けられている。
【００１９】
縦ラセン筒１７は、回動駆動機構（オーガモータ２１）によって機体フレーム２に対して軸心を回動中心とした回動が可能となっている。オーガモータ２１は縦ラセン筒１７の略真後に配置されている。グレンタンク８は縦ラセン筒１７を中心に開閉回動自在となっている。
【００２０】
横ラセン筒１８は、縦ラセン筒１７の上端部分に上下揺動自在に取り付けられている。横ラセン筒１８は縦ラセン筒の回動により水平方向に旋回し、且つ縦ラセン筒１７に対して上下揺動する。横ラセン筒１８の先端には穀粒の排出部２２が設けられている。横ラセンは、縦ラセンと同期して回転し、縦ラセンの上端に搬送される穀粒を受け継ぎ、受け継いだ穀粒を横ラセン筒１８の先端に向かって搬送し、排出部２２から排出する。
【００２１】
排出オーガ装置９は、以上のように、縦ラセン筒１７が上記のようにグレンタンク７内の穀粒を縦方向に搬送し、横ラセン筒１８が縦ラセン筒１７から穀粒を受け継ぎ、排出部２２から排出する構造となっている。横ラセン筒１８の旋回及び上下揺動によって排出部２２の位置（穀粒の排出位置）を任意に調節することができる。
【００２２】
ただし排出ラセン装置９は、穀粒の排出を行わない場合は、横ラセン筒１８が機体１１の左前方に向かうように平面視傾斜状態、且つ側面視略水平状態となる収納状態に収納される。
【００２３】
カッタ支柱１３の右側方（略真横）には、排出オーガ装置９を支持するための縦方向のオーガ支柱２３が略平行に設けられている。オーガ支柱２３は、縦ラセン筒１７の略真横に配置されており、機体フレーム２から立設されている。オーガ支柱２３の上部には、ブラケット２４が設けられている。該ブラケット２４によって縦ラセン筒１７の上方部分が、回動が許容された状態で支持されている。
【００２４】
排出ラセン装置９は、縦ラセン筒１７の下端が連結筒１９に支持され、上方部分がブラケット２４を介してオーガ支柱２３に支持されているため、グレンタンク８の後方におけるカッタ７の略真横の空間に安定した状態で支持される。オーガ支柱２３の上端部とカッタ支柱１３の上端部とは、プレート２６によって連結固定されている。
【００２５】
オーガ支柱２３とカッタ支柱１３とプレート２６とによって囲まれる空間はプレート２５によって塞がれている。プレート２５はオーガ支柱２３，カッタ支柱１３，プレート２６に溶着されている。オーガ支柱２３とカッタ支柱１３とは一体的なフレームとして構成されて強度が向上し、排出ラセン装置９（縦ラセン筒１７）及びカッタ７の支持を安定して強固に行うことができる。
【００２６】
縦ラセン筒１７は、上記収納状態において排出オーガ装置９が、機体幅より突出しない範囲で可及的に後方且つ右側に寄って設けられている。これによりカッタ７の側面と縦ラセン筒１７との間に前述の排出カバー１２の開閉スペースを確保することができる。排出カバー１２は、縦ラセン筒１７に妨げられることなく開閉が容易に行われ、排出カバー１２の開閉角度を小さくする必要もなく、排わらの排出範囲を十分に確保することができる。
【００２７】
また従来のように脱穀装置６の側方に縦ラセン筒１７を配置したコンバインに比較して、縦ラセン筒１７が後方に移動して設けられているため、グレンタンク８はカッタ７の前端面近傍位置にまで後方に向かって拡大されている。これによりグレンタンク８の高さを高くすることなく、グレンタンク８の容量が拡大されている。つまりグレンタンク８の容量を拡大するためにグレンタンク８を高くする必要がなく、グレンタンク８の高さが高くなることによる後方視界の悪化も防止される。
【００２８】
縦ラセン筒１７は、カッタ７の背面の右側端とグレンタンク８の側面の後端とを繋ぐように平面視で略Ｌ字上をなすカバー２７によって囲まれて保護されている。ただし縦ラセン筒１７の上方部分はカバー２７の上方に突出する。オーガモータ２１を含む回動機構や油圧配管、カッタ支柱１３、オーガ支柱２３もカバー２１内に位置し、カバー２７によって保護されてる。
【００２９】
これにより従来のコンバインに比較して縦ラセン筒１７が後方に位置するが、縦ラセン筒１７及び縦ラセン筒１７側に設けられた周辺パーツ（回動機構や油圧配管等）、カッタ支柱１３、オーガ支柱２３等の破損がカバー２７によって防止される。カバー２７は、カッタ７の背面及びグレンタンク８の側面に対して固定的に設けられた下方側の固定カバー２８と、グレンタンク８の側面側の回動軸２９に回動自在に軸支された回動カバー３１とからなる。
【００３０】
回動カバー３１は開閉回動自在であり、固定カバー３１を開くことによって、少なくともオーガモータ２１の上方部分が裸出し、オーガモータ等のメンテナンスを容易に行うことができる。
【００３１】
固定カバー２８と回動カバー３１とは、カッタ７の背面及びグレンタンク８の側面と略段差なく連続しており、コンバインの外観上の美観が向上している。つまりカッタ支点軸１６は、カッタ７の開閉時に、カッタ７とカバー２７（固定カバー２８及び回動カバー３１）とが当接することなく、固定カバー２８と回動カバー３１とを、カッタ７の背面及びグレンタンク８の側面と略段差なく連続して設けることができるように、カッタ７の後端近傍に配置されている。
【図面の簡単な説明】
【００３２】
【図１】本発明のコンバインの側面図である。
【図２】本発明のコンバインの平面図である。
【図３】本発明のコンバインの背面図である。
【符号の説明】
【００３３】
２    機体フレーム
６    脱穀装置
７    カッタ（切断装置）
８    グレンタンク
９    排出オーガ装置
１２  排出カバー
１３  カッタ支柱（支柱）
１４  アーム
１６  カッタ支点軸（回動支点）
１７  縦ラセン筒
１８  横ラセン筒
２７  カバー
【図１】
2007061016.tif 000003
【図２】
2007061016.tif 000004
【図３】
2007061016.tif 000005